(57)【要約】【課題】            反射笠２００を器具本体１１０に取付ける際に外観を低下させずに、確実に器具本体１１０と反射笠２００とを電気的に接続させる。【解決手段】        取付金具３００を介して反射笠２００を器具本体１１０に取り付ける照明器具１００であって、器具本体１１０は、両側壁に横溝部１２１と縦溝部１２２を備え、取付金具３００は、横溝部１２１に係合される一対の舌片３３０と、舌片３３０の内側に形成された本体側爪部３１０と、反射笠２００と対向する位置に形成された反射笠側爪部３２０とを備え、本体側爪部３１０を縦溝部１２２に係合するよう折り曲げるとともに、反射笠２００を取付金具３００に取り付けた状態で、反射笠２００の表面の塗膜を剥がすように反射笠側爪部３２０を反射笠に係止させるので、取付金具３００を介して、器具本体１１０と反射笠２００とを電気的に接続することができ、且つ、外観を低下させることのない照明器具１００を提供する。【選択図】          図１０
2011165385.tif 000002
【特許請求の範囲】
【請求項１】
金属製の器具本体に、金属製の反射笠を取付金具を介して取り付けるようにした照明器具であって、
前記器具本体は、その両側壁に形成された横溝部と縦溝部とからなる器具本体孔を備え、
前記取付金具は、前記器具本体孔の横溝部に係合される一対の舌片と、この舌片の内側に一体に形成された本体側爪部と、前記反射笠と対向する位置に形成された反射笠側爪部とを備え、
前記本体側爪部を前記器具本体孔の縦溝部に係合するよう折り曲げるとともに、前記反射笠を前記取付金具に取り付けた状態で、前記反射笠の表面の塗膜を剥がすように前記反射笠側爪部を前記反射笠に係止させ、前記器具本体と前記反射笠とを電気的に接続させて前記反射笠の接地を行うことを特徴とする照明器具。
【請求項２】
前記器具本体の両側壁に形成した器具本体孔の形状が略Ｔ字形であることを特徴とする請求項１記載の照明器具。
【請求項３】
前記器具本体の両側壁に形成した器具本体孔の形状が多角形であることを特徴とする請求項１記載の照明器具。
【請求項４】
前記器具本体の両側壁に形成した器具本体孔の形状が略Ｌ字形であることを特徴とする請求項１記載の照明器具。
【発明の詳細な説明】
【技術分野】
【０００１】
本発明は、照明器具に関し、特に導電性を有する器具本体と、その器具に取り付けられる導電性を有する反射笠とを電気的に容易に接続させる技術に係るものである。
【背景技術】
【０００２】
例えば、器具本体に反射笠を取り付ける照明器具においては、器具本体と反射笠との間に取付金具を用いる方法が一般的である。その取付金具は、その両端壁から内向きに折り曲げられた舌片を有し、その舌片を器具本体の両側壁に開けたスリット状の孔に引っ掛けて、前記両側壁に跨る姿勢で器具本体に取り付けられている。また、器具本体は電源線を通して接地されており、反射笠は接地されているものであった。（例えば、特許文献１参照）
【先行技術文献】
【特許文献】
【０００３】
【特許文献１】特開２０００−４８６２３号公報（段落「００４７」〜段落「００５０」、図９〜図１１）
【発明の概要】
【発明が解決しようとする課題】
【０００４】
しかし、舌片を器具本体の両側壁に開けたスリット状の孔に引っ掛けて、器具本体に取り付けられる構造及びそれを用いた照明器具においては、加工のばらつき等により、舌片とスリット状の孔が完全に接触しない場合があり、電気的に接続しないことがあるという問題があった。
【課題を解決するための手段】
【０００５】
金属製の器具本体に、金属製の反射笠を取付金具を介して取り付けるようにした照明器具であって、前記器具本体は、その両側壁に形成された横溝部と縦溝部とからなる器具本体孔を備え、前記取付金具は、前記器具本体孔の横溝部に係合される一対の舌片と、この舌片の内側に一体に形成された本体側爪部と、前記反射笠と対向する位置に形成された反射笠側爪部とを備え、前記本体側爪部を前記器具本体孔の縦溝部に係合するよう折り曲げるとともに、前記反射笠を前記取付金具に取り付けた状態で、前記反射笠の表面の塗膜を剥がすように前記反射笠側爪部を前記反射笠に係止させ、前記器具本体と前記反射笠とを電気的に接続させて前記反射笠の接地を行う。
【発明の効果】
【０００６】
本発明によれば、取付金具を介し、金属製の器具本体と金属製の反射笠とを電気的に接続することができ、且つ、外観を低下させることのない照明器具を提供することができる。
【図面の簡単な説明】
【０００７】
【図１】実施の形態１に示す照明器具の斜視図である。
【図２】図１に示す照明器具の分解斜視図である。
【図３】図１に示す照明器具の上面から見たときの上視図、長手方向側面から見たときの側面図、及び、下面から見たときの下視図である。
【図４】図２に示す照明器具のＡ部拡大斜視図である。
【図５】図２に示す照明器具の取付金具を取り付ける前の状態を示すＡ部拡大斜視図である。
【図６】図５に示す照明器具の拡大側面図である。
【図７】図２に示す照明器具の取付金具の上面図、正面図及び下面図である。
【図８】図２に示す照明器具の係止具の上面図、正面図、右側側面図、及び、下面図である。
【図９】図３に示す照明器具のＢ−Ｂ’断面図である。
【図１０】図９に示す照明器具のＣ部を拡大したＣ部拡大図である。
【図１１】図２に示す照明器具の取付金具を取り付けた状態を示すＡ部拡大側面図である。
【図１２】図１１に示す照明器具のＤ部拡大図である。
【図１３】実施の形態２における照明器具の器具本体孔を示す拡大図である。
【図１４】図１３に示す器具本体孔に取付金具を取り付けた状態を示す拡大図である。
【図１５】実施の形態３における取付金具の上面図、正面図及び下面図である。
【図１６】実施の形態３における照明器具の器具本体孔を示す拡大図である。
【図１７】図１５に示す取付金具を図１６に示す器具本体孔に取り付けた状態を示す拡大図である。
【発明を実施するための形態】
【０００８】
実施の形態１．
以下、本実施の形態の照明器具を図１〜図１４を用いて説明する。
【０００９】
図１は、本実施の形態の照明器具の斜視図であり、図２は、図１に示す照明器具の分解斜視図であり、図３は、図１に示す照明器具であり、図３（ａ）は照明器具を上面から見たときの上視図、図３（ｂ）は、照明器具を長手方向側面から見たときの側面図、図３（ｃ）は、照明器具を下面から見たときの下視図である。図４は、図２に示す照明器具１００のＡ部拡大図であり、図５は、図４の取付金具３００を取り付ける前の状態を示す斜視図であり、図６は、図５に示す照明器具の拡大側面図である。
【００１０】
照明器具１００は、金属製の器具本体１１０と、反射笠２００と、この反射笠２００を器具本体１１０に固定するための取付金具３００とを有する。
【００１１】
器具本体１１０は、一面が開放された箱型形状をしている。この器具本体１１０は、蛍光灯４１０が着脱可能に取り付けられるソケット４００と、このソケット４００に取り付けられる蛍光灯４１０を点灯させる点灯装置４４０と、電源端子台４２０及び他の機器が取り付けられている。器具本体１１０は、電源端子台４２０のアース端子に電気的に接続されて接地されている。なお、電源端子台４２０のアース端子には、器具本体１１０を介して、点灯装置４４０のケースや点灯装置４４０のアース端子などに電気的に接続されている場合もある。
【００１２】
また、器具本体１１０は、両側面に、取付金具３００の舌片３３０を通して引っ掛けるための孔１２０を対向して、抜き加工によって形成されている。この孔１２０は、図７に示すように横溝部１２１と縦溝部１２２とからなり、縦溝部１２２が横溝部１２１の中央に位置するＴ字形となっている。
【００１３】
反射笠２００は、ソケット４００に取り付けた蛍光灯４１０の光が反射するよう、表面が塗装された金属板であり、係止具４３０を通して取付金具３００に固定するための係止孔２１０が一つ以上形成されている。
【００１４】
係止孔２１０は、ほぼ円形に刳り貫かれて形成しており、この円形の直径をＲ１とする。
【００１５】
図７は、図２に示す照明器具の取付金具であり、図７（ａ）は、取付金具の上面図、図７（ｂ）は、取付金具の右側面図、図７（ｃ）は、取付金具の下面図である。
【００１６】
取付金具３００は、反射笠２００を取り付けるための部品で、例えば、金属板をプレス加工することにより成形した金具である。
【００１７】
取付金具３００は、両端部にそれぞれ形成された器具本体１１０の孔１２０に引っ掛けるために通す一対の舌片３３０と、この各舌片３３０の中央部に形成された本体側爪部３１０と、両側に形成された案内片３４０と、本体側爪部３１０を折り曲げるための治具挿入孔３８０と、取付金具凹部３７１内に成形された係止具４３０が通る取付金具３００の係止孔３５０と、この係止孔３５０の長手方向の両端を前記舌片３３０に対して反対の方向に曲げた反射笠側爪部３２０と、反射笠２００側の取付金具表面３６０と、この取付金具表面３６０に成形された補強用リブ３６１と、取付金具表面３６０の裏面側の取付金具裏面３７０を有する。
【００１８】
本体側爪部３１０は、根元部の幅が狭く、且つ、最も幅が狭い部分が器具本体１１０の孔１２０の加工面より外側に位置する台形状で、折り曲げやすい形状になっている。
【００１９】
反射笠側爪部３２０の端部は、取付金具表面３６０よりも突出している。
【００２０】
図８は、図２に示す照明器具の係止具であり、図８（ａ）は、係止具の上面図、図８（ｂ）は、係止具の正面図、図８（ｃ）は、係止具の右側面図、図８（ｄ）は、係止具の下面図である。
【００２１】
係止具４３０は、反射笠２００を器具本体１１０に固定するための固定具であり、内部に金属の芯を有するプラスチックなどの非導通性素材で一体的に形成する。
【００２２】
係止具４３０は、反射笠押さえ部４３１と、係止具軸部４３２と、この係止具軸部４３２の先端に形成される本体押さえ部４３３と、係止具操作部４３４と、を有する。
【００２３】
反射笠押さえ部４３１は、直径Ｒ２の円形であり、反射笠押さえ部４３１の下部に、つまみ状の係止具操作部４３４が形成されている。また、反射笠押さえ部４３１の直径Ｒ２は、係止孔２１０の直径Ｒ１よりも大きい。
【００２４】
また、反射笠押さえ部４３１の上側は、おおむね平らに成形されており、押さえる方向に対して弾性を有するように、反射笠押さえ面４３５を形成している。
【００２５】
本体押さえ部４３３には、反射笠押さえ面４３５と向き合うように設けられた本体押さえ面４３６が形成されている。
【００２６】
係止具操作部４３４は、係止具４３０を回転操作するためのつまみである。
【００２７】
図９は、図３に示す照明器具のＢ−Ｂ’断面であり、図１０は、図９に示す照明器具のＣ部拡大図であり、図１１は、図２に示す照明器具の取付金具を取り付けた状態を示すＡ部拡大側面図であり、図１２は、図１１に示す照明器具のＤ部拡大図である。
【００２８】
取付金具３００を器具本体１１０に取り付けるには、器具本体１１０内に形成されている孔１２０付近の両側縁部を握って、一時的に器具本体１１０の短手方向の間隔を狭める。次に、器具本体１１０の両側縁部の間隔を狭めた状態のまま、取付金具３００の舌片３３０を器具本体１１０内に形成されている孔１２０の横溝部１２１に外側から挿入する。そして、金属の弾性により器具本体１１０が元の形に復元する。これにより、取付金具３００の舌片３３０と、器具本体１１０内に形成されている孔１２０とが係合状態に取り付けられる。
【００２９】
取付金具３００を器具本体１１０に取り付けた後、図９、図１０のように本体側爪部３１０を器具本体１１０の内面側に向かって器具本体１１０の内壁に押圧するように折り曲げる。本体側爪部３１０を折り曲げることで、器具本体１１０の抜き加工によって形成された孔１２０の縦溝部１２２に、本体側爪部３１０の根元部が係合される。
【００３０】
したがって、取付金具３００は器具本体１１０に対し左右への移動が阻止され、しかも本体側爪部３１０の左右の端縁部が孔１２０の縦溝部１２２の端面に接触して器具本体１１０と取付金具３００との電気的な接続が可能になり、同時に、カシメ作用によって強固に取り付けられる。
【００３１】
反射笠押さえ部４３１の直径Ｒ２は、反射笠２００内に形成された係止孔２１０の直径Ｒ１よりも大きいので、係止具４３０を反射笠２００内に形成された係止孔２１０に取り付けると、反射笠押さえ面４３５が反射笠２００の表面に接触し、反射笠押さえ面４３５の弾性力で、反射笠２００を押さえる。
【００３２】
係止具軸部４３２は、反射笠押さえ部４３１の中央部から垂直に突出した断面形状が楕円形の軸状の部分である。
【００３３】
ここで、係止具軸部４３２の楕円形の長軸の長さＬ２０、取付金具３００の反射笠側爪部３２０の間隔Ｗ１０、係止具軸部４３２の楕円形の短軸の長さＷ２０、とするとき、係止具軸部４３２の楕円形の長軸の長さＬ２０は、取付金具３００の反射笠側爪部３２０の間隔Ｗ１０とほぼ等しいか、短く（Ｌ２０≒Ｗ１０またはＬ２０≦Ｗ１０）、短軸の長さＷ２０は、取付金具３００の反射笠側爪部３２０の間隔Ｗ１０よりも短い（Ｗ２０＜Ｗ１０）。
【００３４】
係止具軸部４３２は、反射笠２００内に形成された係止孔２１０及び取付金具３００の係止孔３５０に挿入し、係止具軸部４３２を軸として、係止具４３０を回転することができる。
【００３５】
本体押さえ部４３３は、係止具軸部４３２の楕円形の長軸方向を長手方向とする。
本体押さえ部４３３の長手方向の長さＬ２１、本体押さえ部４３３の幅手方向Ｌ２２とするとき、本体押さえ部４３３の長手方向の長さＬ２１は、本体側爪部３１０の間隔Ｗ１０よりも長く、反射笠２００内に形成された係止孔２１０の直径Ｒ１よりも短い（Ｒ１＜Ｌ２１＜Ｗ１０）。また、本体押さえ部４３３の幅手方向Ｌ２２は、係止具軸部４３２の楕円形の短軸の長さＷ２０とおおむね等しい（Ｌ２２≒Ｗ２０）。
【００３６】
これにより、係止具軸部４３２を反射笠２００内に形成された係止孔２１０及び取付金具３００の係止孔３５０に挿入し、係止具軸部４３２を軸として、係止具４３０を回転させることで、本体押さえ面４３６が、取付金具裏面３７０に係合され、係止具４３０の軸方向への移動ができなくなり、反射笠２００と、取付金具３００が固定される。
【００３７】
また、反射笠側爪部３２０は、取付金具表面３６０よりも突出しているため、係止具４３０を回転させることで、反射笠２００の裏面に反射笠側爪部３２０が押圧されて塗装が剥がされ、反射笠２００が取付金具３００に電気的に接続される。
【００３８】
したがって、反射笠２００を器具本体１１０に取付金具３００を介して固定することにより、反射笠２００は器具本体１１０に対し電気的に接続することができ、安全性をより向上させることができる。
【００３９】
また、本体側爪部３１０を器具本体１１０に形成された孔１２０の縦溝部１２２に係合するように折り曲げているため、反射笠２００の自重で取付金具３００が下方に移動しても、本体側爪部３１０が器具本体１１０に形成された孔１２０の縦溝部１２２に係合状態にある。
【００４０】
したがって、取付金具３００の移動が阻止され、反射笠２００が所定の位置に取り付けられて外観の低下を防止することができる。
【００４１】
実施の形態２．
本実施の形態は、実施の形態１の器具本体１１０内に形成された取付金具３００を引っ掛けるための孔１２０のその他の形態を示す。本実施の形態において、実施の形態１と同様の構成は同符号を付し、説明を省略する。
【００４２】
図１３は、この実施の形態における照明器具の器具本体孔を示す拡大図であり、図１４は、図１３に示す器具本体孔に取付金具を取り付けた状態を示す拡大図である。
【００４３】
照明器具１００ａは、金属製の器具本体１１０ａと、反射笠２００と、この反射笠２００を器具本体１１０ａに固定するための取付金具３００とを有する。
【００４４】
器具本体１１０ａは、一面が開放された箱型形状をしている。この器具本体１１０ａは、蛍光灯４１０が着脱可能に取り付けられるソケット４００と、このソケット４００に取り付けられる蛍光灯４１０を点灯させる点灯装置４４０と、電源端子台４２０及び他の機器が取り付けられており、それらは電源端子台４２０のアース端子に電気的に接続されて接地されている。
【００４５】
器具本体１１０ａは、両側面に取付金具３００の舌片３３０を通して引っ掛けるための図１３のような上部に位置するにしたがって細くなる多角形（例えば、五角形）の形状をしている孔１２０ａが対向して、抜き加工によって形成されている。
【００４６】
取付金具３００を、実施の形態１と同様な方法で器具本体１１０ａに取り付けた後、図４のように本体側爪部３１０を器具本体１１０ａの内面側に向かって器具本体１１０ａの内壁に押圧するように折り曲げることで、器具本体１１０ａの抜き加工によって形成された孔１２０ａ内に形成されたテーパー部１２３にその根元部が係合される。
【００４７】
したがって、取付金具３００は器具本体１１０ａに対し左右への移動が阻止され、しかも本体側爪部３１０の左右の端縁部が孔１２０ａ内に形成されたテーパー部１２３の端面に接触して器具本体１１０ａと取付金具３００との電気的な接続が可能になり、同時に、カシメ作用によって強固に取り付けられる。
【００４８】
また、実施の形態１と同様に係止具４３０を回転させることで、反射笠２００の裏面に反射笠側爪部３２０が押圧されて塗装が剥がされ、反射笠２００が取付金具３００に電気的に接続される。
【００４９】
したがって、この実施の形態においても、反射笠２００を器具本体１１０ａに取付金具３００を介して固定することにより、反射笠２００は、器具本体１１０ａに対し電気的に接続することができ、安全性をより向上させることができる。
【００５０】
実施の形態３．
本実施の形態は、実施の形態１の器具本体１１０内に形成された取付金具３００を引っ掛けるための孔１２０のその他の形態と、取付金具３００のその他の形態を示す。本実施の形態において、実施の形態１と同様の構成は同符号を付し、説明を省略する。
【００５１】
図１５は、この実施の形態における取付金具の上面図、正面図及び下面図であり、図１６は、この実施の形態における照明器具の器具本体孔を示す拡大図であり、図１７は、図１５に示す取付金具を図１６に示す器具本体孔に取り付けた状態を示す拡大図である。
【００５２】
照明器具１００ｂは、金属製の器具本体１１０ｂと、反射笠２００と、この反射笠２００を器具本体１１０ｂに固定するための取付金具３００とを有する。
【００５３】
器具本体１１０ｂは、一面が開放された箱型形状をしている。この器具本体１１０ｂは、蛍光灯４１０が着脱可能に取り付けられるソケット４００と、このソケット４００に取り付けられる蛍光灯４１０を点灯させる点灯装置４４０と、電源端子台４２０及び他の機器が取り付けられており、それらは電源端子台４２０のアース端子に電気的に接続されて接地されている。
【００５４】
器具本体１１０ｂは、両側面に取付金具３００ａの舌片３３０ａを通して引っ掛けるための図１６のような横溝部１２１ｂと縦溝部１２２ａとからなるＬ字形の孔１２０ｂが対向して、抜き加工によって形成されている。
【００５５】
実施の形態１と同様な方法で取付金具３００ａを器具本体１１０ｂに取り付けた後、図１７のように本体側爪部３１０ａを器具本体１１０ｂの内面側に向かって器具本体１１０ｂの内壁に押圧するように折り曲げることで、器具本体１１０ｂの抜き加工によって形成された孔１２０ｂの縦溝部１２２ａにその根元部が係合される。したがって、取付金具３００ａは器具本体１１０ｂに対し左右への移動が阻止され、しかも本体側爪部３１０ａの左右の端縁部が孔１２０ｂの縦溝部１２２ａの端面に接触して器具本体１１０ｂと取付金具３００ａとの電気的な接続が可能になり、同時に、カシメ作用によって強固に取り付けられる。
【００５６】
また、実施の形態１と同様に係止具４３０を回転させることで、反射笠２００の裏面に反射笠側爪部３２０が押圧されて塗装が剥がされ、反射笠２００が取付金具３００ａに電気的に接続される。
【００５７】
したがって、この実施の形態においても、反射笠２００を器具本体１１０ｂに取付金具３００ａを介して固定することにより、反射笠２００は器具本体１１０ｂに対し電気的に接続することができ、安全性をより向上させることができる。
【符号の説明】
【００５８】
１００、１００ａ、１００ｂ  照明器具、１１０、１１０ａ、１１０ｂ  器具本体、１２０、１２０ａ、１２０ｂ  器具本体孔、１２１、１２１ａ、１２１ｂ  横溝部、１２２、１２２ａ  縦溝部、１２３  テーパー部、２００  反射笠、２１０  係止孔、３００、３００ａ  取付金具、３１０、３１０ａ  本体側爪部、３２０  反射笠側爪部、３３０、３３０ａ  舌片、３４０、３４０ａ  案内片、３５０  取付金具係止孔、３６０  取付金具表面、３６１  補強用リブ、３７０  取付金具裏面、３７１  取付金具凹部、３８０  治具挿入孔、４００  ソケット、４１０  蛍光灯、４２０  電源端子台、４３０  係止具、４３１  反射笠押さえ部、４３２  係止具軸部、４３３  本体押さえ部、４３４  係止具操作部、４３５  反射笠押さえ面、４３６  本体押さえ面、４４０  点灯装置。
【図１】
2011165385.tif 000003
【図２】
2011165385.tif 000004
【図３】
2011165385.tif 000005
【図４】
2011165385.tif 000006
【図５】
2011165385.tif 000007
【図６】
2011165385.tif 000008
【図７】
2011165385.tif 000009
【図８】
2011165385.tif 000010
【図９】
2011165385.tif 000011
【図１０】
2011165385.tif 000012
【図１１】
2011165385.tif 000013
【図１２】
2011165385.tif 000014
【図１３】
2011165385.tif 000015
【図１４】
2011165385.tif 000016
【図１５】
2011165385.tif 000017
【図１６】
2011165385.tif 000018
【図１７】
2011165385.tif 000019